(57)【要約】      （修正有）【課題】洗濯した衣類を吊るした状態で、筒状の樹脂フィルムで包装する際、フィルムの蛇行を防止し、安定した状態で整然と送り出すことができ、またフィルムに付着するごみを除去できる衣類包装機およびフィルムガイドを提供する。【解決手段】ロール状に巻かれている筒状の樹脂フィルム１を載せる平行一対状の支持ローラ２を備え、ハンガー３に吊るされた状態の洗濯物としての衣類４に、樹脂フィルムを引き下ろして被せ、衣類とハンガーとを一緒に樹脂フィルムで包装する装置であり、支持ローラ２の上方に、樹脂フィルムを案内するフィルムガイド５を設ける。フィルムガイドは、樹脂フィルムが通されるスリット状部７を備え、スリット状部に、樹脂フィルムを挟むように接触して樹脂フィルムの蛇行を防止する導電質の部材８を、横幅の全長にわたって設ける。【選択図】図１
0003195476.tif 000002
【実用新案登録請求の範囲】
【請求項１】
ロール状に巻かれている筒状の樹脂フィルムを載せる平行一対状の支持ローラを備え、ハンガーに吊るされた状態の洗濯物としての衣類に、樹脂フィルムを引き下ろして被せ、衣類とハンガーとを一緒に樹脂フィルムで包装する衣類包装機であって、上記の支持ローラの上方に、樹脂フィルムを案内するフィルムガイドが設けられ、このフィルムガイドが、樹脂フィルムが通されるスリット状部を備え、このスリット状部に、樹脂フィルムを挟むように樹脂フィルムに接触して樹脂フィルムの蛇行を防止する部材が、樹脂フィルムの横幅の全長にわたって設けられていることを特徴とする衣類包装機。
【請求項２】
請求項1記載の衣類包装機であって、フィルムガイドが、支持ローラの上方に、多段状に複数設けられていることを特徴とする衣類包装機。
【請求項３】
請求項１又は２記載の衣類包装機に使用するフィルムガイドであって、樹脂フィルムが通されるスリット状部を備え、このスリット状部に、樹脂フィルムを挟むように樹脂フィルムに接触して樹脂フィルムの蛇行を防止する部材が、樹脂フィルムの横幅の全長にわたって設けられていることを特徴とする衣類包装機に使用するフィルムガイド。
【請求項４】
請求項３記載の衣類包装機に使用するフィルムガイドであって、樹脂フィルムの蛇行を防止する部材が、導電質に形成されていることを特徴とする衣類包装機に使用するフィルムガイド。
【考案の詳細な説明】
【技術分野】
【０００１】
本考案は、洗濯したワイシャツ等の衣類を吊るした状態で、筒状の樹脂フィルムで包装する衣類包装機に関し、更に詳しくは樹脂フィルムの蛇行を防止し、衣類にフィルムをきちんと被せ、綺麗に包装できるよう形成した衣類包装機及びこれに使用するフィルムガイドに関するものである。
【背景技術】
【０００２】
従来、この種の包装機としては、例えば特許文献１に記載されているものがある。
この従来機は、ロール状に巻かれている筒状の樹脂フィルムを載せる平行一対状の支持ローラを備え、ハンガーに吊るされた状態の洗濯物としての衣類に、樹脂フィルムを引き下ろして被せ、衣類とハンガーとを一緒に樹脂フィルムで包装する構造である。
【０００３】
この場合、特許文献１に記載の従来機は、支持ローラの両端よりの位置に、支持ローラと同心状に、内側がテーパー形状の円板を設け、この円板で樹脂フィルムの横ずれを抑え、フィルムの蛇行を防止するよう形成されていた。
【０００４】
また従来、支持ローラの上方位置に、杆状（棒状）の蛇行防止部材を設け、この部材で樹脂フィルムの蛇行を防止するよう形成した包装機も知られている（特許文献２参照）。
この従来機は、筒状の樹脂フィルムを蛇行防止部材に被せ、樹脂フィルムの袋内に蛇行防止部材を配置してフィルムの蛇行を防止するよう形成されていた。
【０００５】
而して、特許文献１の従来機は、上記の通り、支持ローラの両端よりの位置に設けた円板でフィルムの横ずれを抑えてフィルムの蛇行を防止する構造である。
そのため、これによると、フィルムが、引き上げ中に、振動や風を受けると、この風等の影響で揺動し、蛇行するのを抑えることができない、という問題点があった。
【０００６】
また特許文献２の従来機は、上記の通り、蛇行防止部材を、筒状の樹脂フィルムの袋内に配置する構造である。従って、これによると、包装機の運転当初に樹脂フィルムをセットする作業が不便で、樹脂フィルムを交換する際に手間暇がかかる、という問題点があった。またこの従来機によっては、フィルムに付着するごみを除去できなかった。
【先行技術文献】
【特許文献】
【０００７】
【特許文献１】特開２０１３−２３２２６号公報
【特許文献２】特開平１１−３２１８０５号公報
【考案の概要】
【考案が解決しようとする課題】
【０００８】
本考案は、このような従来の問題点に鑑み、提案されたものである。
従って、本考案の解決しようとする技術的課題は、洗濯したワイシャツ等の衣類を吊るした状態で、筒状の樹脂フィルムで包装する際、この樹脂フィルムを、風等に影響されることなく、安定した状態で整然と送ることができ、またフィルムに付着するごみを除去でき、ひいては綺麗に包装できるよう形成した衣類包装機及びこれに使用するフィルムガイドを提供することにある。
【課題を解決するための手段】
【０００９】
本考案は、上記の課題を解決するため、次のような技術的手段を採る。
即ち、本考案は、図１等に示されるように、ロール状に巻かれている筒状の樹脂フィルム１を載せる平行一対状の支持ローラ２を備え、ハンガー３に吊るされた状態の洗濯物としての衣類４に、樹脂フィルム１を引き下ろして被せ、衣類４とハンガー３とを一緒に樹脂フィルム１で包装する衣類包装機であって、上記の支持ローラ２の上方に、樹脂フィルム１を案内するフィルムガイド５が設けられ、このフィルムガイド５が、樹脂フィルム１が通されるスリット状部７を備え、このスリット状部７に、樹脂フィルム１を挟むように樹脂フィルム１に接触して樹脂フィルム１の蛇行を防止する部材８が、樹脂フィルム１の横幅の全長にわたって設けられていることを特徴とする（請求項１）。
【００１０】
本考案の場合、樹脂フィルム１の蛇行を防止する部材８としては、例えば合成繊維がネット状に編まれて形成されたものがある。この場合、この部材８は、全体が同一の素材で同じ状態に編まれているのでも良いが、部分的に編み方や素材が違えられているのでも良い。具体的には、例えば図３等に示されるように、樹脂フィルム１を挟む先端部分８ａと、この先端部分８ａに接続されてフィルムガイド５の本体部に接着等の手段で取り付けられる根元部分８ｂとで、柔軟性や張り具合が違うよう、編み方が変えられているのでも良い。
【００１１】
而して、本考案の衣類包装機は、フィルムガイド５が、支持ローラ２の上方に、多段状に複数設けられているのが好ましい（請求項２）。
なぜならこの場合は、風等の影響をより確実に抑えることができ、その分、フィルム１を整然と送ることができるからである。
【００１２】
また本考案の衣類包装機に使用するフィルムガイド５としては、樹脂フィルム１が通されるスリット状部７を備え、このスリット状部７に、樹脂フィルム１を挟むように樹脂フィルム１に接触して樹脂フィルム１の蛇行を防止する部材８が、樹脂フィルム１の横幅の全長にわたって設けられていることを特徴とするものがある（請求項３）。
【００１３】
またこの場合、本考案のフィルムガイド５は、樹脂フィルム１の蛇行を防止する部材８が、導電質に形成されているのが好ましい（請求項４）。
【００１４】
なぜならこれによると、フィルム１の蛇行を防止できると共に、フィルム１に帯電する静電気を除去できるからである。
【考案の効果】
【００１５】
本考案は、このように樹脂フィルムを載せる平行一対状の支持ローラの上方に、樹脂フィルムを案内するフィルムガイドが設けられ、このフィルムガイドが、樹脂フィルムが通されるスリット状部を備え、このスリット状部に、樹脂フィルムを挟むように樹脂フィルムに接触して樹脂フィルムの蛇行を防止する部材が、樹脂フィルムの横幅の全長にわたって設けられている。
【００１６】
従って、本考案の場合は、洗濯したワイシャツ等の衣類を吊るした状態で、筒状の樹脂フィルムで包装する際、この樹脂フィルムの蛇行を防止でき、フィルムを安定した状態で整然と送ることができる。
また、これによると、フィルムに付着するごみを、フィルムの横幅の全面に渡って除去できる。
【図面の簡単な説明】
【００１７】
【図１】本考案の衣類包装機の好適な一実施形態を示す使用状態時の要部斜視図である。
【図２】同上包装機の要部側面図である。
【図３】フィルムガイドの要部斜視図である。
【図４】フィルムガイドの平面図である。
【図５】フィルムガイドの要部断面図である。
【図６】フィルムガイドの斜視図である。
【図７】フィルムガイドの他の実施形態を示す斜視図である。
【図８】フィルムガイドの更に他の実施形態を示す斜視図である。
【考案を実施するための形態】
【００１８】
以下、本考案を実施するための好適な一実施形態を、添付図面に従って説明する。
本考案の衣類包装機は、図１等に示されるように、ロール状に巻かれている筒状の樹脂フィルム１を載せる平行一対状の支持ローラ２を備え、ハンガー３に吊るされた状態の洗濯物としての衣類４に、樹脂フィルム１を引き下ろして被せ、衣類４とハンガー３とを一緒に樹脂フィルム１で包装する装置である。
【００１９】
本考案は、上記の支持ローラ２の上方に、樹脂フィルム１を案内するフィルムガイド５が設けられている。このフィルムガイド５は、衣類包装機の背面側の左右一対の金属支柱６に水平に渡され、この実施形態では上下方向に所定の間隔をあけて二段状に２個設けられている。またこの実施形態の場合、フィルムガイド５は、金属支柱６のサイドカバー（図示せず）を固定するネジを利用してサイドカバーと一緒にネジ止めされている。
【００２０】
そして、フィルムガイド５は、樹脂フィルム１が通されるスリット状部７を備えて形成されている。このスリット状部７は、樹脂フィルム１の引き上げ方向である垂直線上に位置決めされている。
【００２１】
またフィルムガイド５は、スリット状部７に、樹脂フィルム１を挟むように樹脂フィルム１に接触して樹脂フィルム１の蛇行を防止する部材８が、樹脂フィルム１の横幅の全長にわたって設けられている。この樹脂フィルム１の蛇行を防止する部材８は、スリット状部７を塞ぐよう本体部分の下面に貼り付けられている。
【００２２】
而して、上記の蛇行を防止する部材８は、この実施形態では合成繊維が編まれて面状に形成されている。即ち、この部材８は、具体的には樹脂フィルム１を挟む先端部分８ａと、これに繋がる根元部分８ｂとで形成されている。そして、両者は、編み方が違えられ、根元部分８ｂは張りの強度をしっかり維持できるよう編まれ、先端部分８ａは樹脂フィルム１をしっかり保持し、樹脂フィルム１と常に接し合うよう、適度の柔軟質を有するように編まれている。
【００２３】
また樹脂フィルム１の蛇行を防止する部材８は、この実施形態では導電質に形成されている。従って、この実施形態の本考案によると、樹脂フィルム１に帯電した静電気は、スリット状部７を通る際に、蛇行を防止する部材８によって徐電される。
【００２４】
次に、この実施形態の本考案品の作用を説明する。
【００２５】
本考案の場合、樹脂フィルム１は、図１、図５等に示されるように、フィルムガイド５に設けられている蛇行を防止する部材８に挟まれた状態で引き上げられる。この場合、樹脂フィルム１の蛇行を防止する部材８は、樹脂フィルム１の横幅の全長にわたって設けられている。
【００２６】
従って、本考案の場合、樹脂フィルム１は、その両側に蛇行を防止する部材８が当たって押さえられる。それ故、これによると、樹脂フィルム１は振動や風の影響を受けることなく、整然と引き上げられる。
【００２７】
またこの実施形態では、蛇行を防止する部材８が、上下に所定の間隔をあけて２個設けられ、且つ導電質に形成されている。従って、この実施形態の本考案によると、樹脂フィルム１は、風等の影響をより確実に抑えることができ、また引き上げ過程で帯電している静電気が除去される。またこれによれば、静電気等によって付着しているゴミを同時に除去できる。
【００２８】
以上の処において、本考案の場合、フィルムガイド５の個数は任意である。またフィルムガイド５は、上下方向に設けられる場合に限定されるものではない。即ち、本考案の包装機は、フィルムガイド５が、例えば上下方向と共に、横方向（左右方向）に設けられているのでも良く、樹脂フィルム１の牽引路上に適宜配置されるので良い。
【００２９】
また本考案の場合、フィルムガイド５の仕様は、衣類包装機や樹脂フィルム１の仕様に合わせて適宜、選定されるので良い。即ち、フィルムガイド５の短辺や長辺の長さ、蛇行を防止する部材８の材質や編み方等は任意である。
【００３０】
またフィルムガイド５は、通常、背面のネジ孔５ａ（図６等参照）を利用して金属支柱６（図１、図２参照）等に、直接ネジ止めされるが、取り付け方は任意である。即ち、フィルムガイド５は、図８に示されるように、例えば金属製の取付補助板９を介して金属支柱６等に取り付けられるのでも良い。
【符号の説明】
【００３１】
１      樹脂フィルム
２      支持ローラ
３      ハンガー
４      衣類
５      フィルムガイド
６      金属支柱
７      スリット状部
８      樹脂フィルムの蛇行を防止する部材
【図１】
0003195476.tif 000003
【図２】
0003195476.tif 000004
【図３】
0003195476.tif 000005
【図４】
0003195476.tif 000006
【図５】
0003195476.tif 000007
【図６】
0003195476.tif 000008
【図７】
0003195476.tif 000009
【図８】
0003195476.tif 000010